(57)【特許請求の範囲】
【請求項１】
リール本体の側板間にスプールを回転自在に支持し、前記スプールに釣糸を平行に巻回する釣糸案内部を有する釣糸案内体をスプール前方の側板間に配すると共に、前記釣糸案内体を側板間に架設された案内杆に回り止め嵌合させて前記釣糸案内体をハンドルの回転に連動して左右に往復自在とした魚釣用リールにおいて、
前記釣糸案内体に装着されて前記案内杆の外周に摺動自在に嵌合されるものであって、両端の開口縁部に外側に向けて広がる傾斜面が設けられた筒状の摺動部材を具備したことを特徴とする魚釣用リール。
【発明の詳細な説明】
【０００１】
【発明の属する技術分野】
本発明は、リール本体の側板間に回転自在に支持したスプールに釣糸を平行に巻回するレベルワインド機構を備えた魚釣用リールに関する。
【０００２】
【従来の技術】
従来、上記したレベルワインド機構は、リール本体の側板間に設けられ、ハンドルの巻取り操作に連動回転し螺旋溝が形成されたウォームシャフトと、前記螺旋溝に係合する係合ピン及びラインガイド（釣糸案内部）を保持した摺動子（釣糸案内体）とを備えており、この摺動子は、リール本体の側板間に支持された案内杆に回り止め嵌合されて左右に往復動可能に構成されている。
【０００３】
【発明が解決しようとする課題】
上記したレベルワインド機構の摺動子は、スプールに対して釣糸を平行に案内する機能上、その釣糸のテンションによって、左右に往復移動するときに傾斜する方向の力、及び嵌合部のクリアランスの影響を受け、接触移動案内面が点接触状態に近くなって安定せず、引っ掛かりが発生してスムーズな動きができなくなる場合がある。そして、状況が悪化すると、案内杆との間で食い付き現象が生じて巻取り操作ができなくなる場合が有り得る。
【０００４】
このような傾向は、摺動子と案内杆の嵌合部にこじる方向の力が強く作用する強負荷巻取り状況下で使用される大型リールや電動リール等に多く発生する可能性が高い。
【０００５】
さらに、レベルワインド機構の強度の維持と小型、軽量化のため、摺動子自体を金属材料で形成して薄肉化、簡素化する傾向にあるが、それに伴って摺動子の案内杆に対する嵌合支持面積が部分的になって接触案内状態が傾斜しやすく、これにより、線接触状態になって引っ掛かりが生じたり、局部的に磨耗しやすくなる。又、金属材料の摺動子と案内杆が同程度の硬度で形成された場合などは、摺動子と案内杆の加工や成形時のバリ等の影響で引っ掛かりや食い付きが生じやすくなる。
【０００６】
この発明は、上述した問題点に着目してなされたものであり、レベルワインド機構の釣糸案内部を有する釣糸案内体を、実用時においてスムーズに左右往復動させる魚釣用リールを提供することを目的とする。
【０００７】
【課題を解決するための手段】
前記課題を解決するために、本発明の魚釣用リールは、リール本体の側板間にスプールを回転自在に支持し、前記スプールに釣糸を平行に巻回する釣糸案内部を有する釣糸案内体をスプール前方の側板間に配すると共に、前記釣糸案内体を側板間に架設された案内杆に回り止め嵌合させて前記釣糸案内体をハンドルの回転に連動して左右に往復自在に構成しており、前記釣糸案内体に装着されて前記案内杆の外周に摺動自在に嵌合されるものであって、両端の開口縁部に外側に向けて広がる傾斜面が設けられた筒状の摺動部材を備えたことを特徴とする。
【０００８】
【発明の実施の形態】
以下、本発明に係る魚釣用リールの実施の形態について添付図面を参酌して具体的に説明する。
【０００９】
図１〜図５は、本発明の第１の実施形態を示しており、図１は電動リールのレベルワインド機構の部分を切欠いて示す平面図、図２は側面図、図３はレベルワインド機構の主用部を拡大して示す図、図４はレベルワインド機構の主用部を軸方向から見た図、そして、図５は、釣糸案内体の分解斜視図である。
【００１０】
リール本体１の左右側板２ａ，２ｂ間には、釣糸が巻回されるスプール５が回転可能に支持されている。スプール５は、右側板側に設けられたハンドル７の回転操作、もしくは左右側板間に保持されている駆動モータ９によって回転駆動される。
【００１１】
左右側板２ａ，２ｂ間には、スプール５の前方に、レベルワインド機構１０が設けられている。レベルワインド機構１０は、スプールの前方で左右に往復動する摺動子である釣糸案内体１２と、左右側板２ａ，２ｂ間に架設され、釣糸案内体１２を回り止め嵌合する断面円形の案内杆１４と、案内杆１４と平行になるように左右側板２ａ，２ｂ間に架設され、外周面に螺旋溝１６ａが形成されたウォームシャフト１６とを有している。
【００１２】
釣糸案内体１２は、図５に示すように、内部に空洞部Ｓが規定された本体１２ａと、この本体１２ａに一体的に形成され、釣糸が挿通される釣糸案内部（ラインガイド）１２ｂとを備えている。前記本体１２ａには、釣糸案内部１２ｂの導糸方向と直交する方向に貫通し、かつ空洞部Ｓと連通する貫通孔１２ｃが形成されている。また、本体１２ａには、前記案内杆１４が挿通できるように、一対の丸孔１２ｄが形成されると共に、丸孔１２ｄと直交する方向に丸孔１２ｅが形成されている。
【００１３】
前記ウォームシャフト１６は、左右側板に固定された円筒部１７内に回転可能に収容されており、この円筒部１７が前記貫通孔１２ｃに挿通される。円筒部１７には、空洞部Ｓに臨むように、軸方向に沿って長孔１７ａが形成されており、この長孔１７ａを介して、前記丸孔１２ｅから空洞部Ｓ内に挿入される係合ピン１８が螺旋溝１６ａに係合する。
【００１４】
前記案内杆１４には筒状の摺動部材（カラー）２０が配設され、この摺動部材２０を介して案内杆１４は前記一対の丸孔１２ｄに挿通される。このため、各丸孔１２ｄの径は摺動部材２０の外径と略等しい大きさに形成されている。この場合、摺動部材２０が本体１２ａ内に配されると、摺動部材２０が抜けてしまうため、本体１２ａには、矩形の抜け止め部材２２が配設される。抜け止め部材２２には、案内杆１４と略同径の一対の丸孔２２ａが形成されており、摺動部材２０の抜け止めを果たすと共に、案内杆１４を貫通させる。
【００１５】
なお、上記空洞部Ｓ内に挿入された係合ピン１８は、本体１２ａの内周面及び摺動部材２０の外周面によって、その動きが規制される。
【００１６】
上記ウォームシャフト１６の端部には、前記ハンドル７の巻取り操作もしくは駆動モータ９の駆動によってスプール５と同期駆動するレベルワインド駆動部２５と連結するギヤ２７が取り付けられている。これにより、ウォームシャフト１６は、スプール５と共に回転駆動される。
【００１７】
ウォームシャフト１６が回転駆動されると、螺旋溝１６ａに係合するピン１８を介して、釣糸案内体１２は案内杆１４に沿って左右に往復動する。すなわち、釣糸案内体１２は、案内杆１４の外周面と接触することなく、摺動部材２０を介して左右に移動案内される。このため、釣糸のテンションによって、釣糸案内体１２にこじる方向の力が強く作用しても、釣糸案内体１２と案内杆１４とは、摺動部材２０によって面接触状態が維持されるため、引っ掛かりや食い付き現象が生じることなく、安定して左右に摺動することができる。また、摺動部材２０が案内杆上を摺動することから、釣糸案内体１２や案内杆１４に多少の傷や加工バリ等があっても、摺動時に影響を受けることはない。
【００１８】
さらに、上記した構成によれば、釣糸案内体１２の案内杆１４との摺動部に、摺動性の良好な材料（耐摩耗性、低摩擦係数の軸受材料）や、案内杆と硬度の異なる材料の選択が可能となり、釣糸案内体の材料、形状の制約を受けることが無くなる。具体的には、釣糸案内体１２、案内杆１４としてステンレス、アルミニウム合金等の金属材料を用い、摺動部材２０として、ポリアセタール（ＰＯＭ）、ポリフェニレンサルファイド（ＰＰＳ）等の合成樹脂材やカーボン素材、セラミック等、非金属材料を用いることが好ましい。
【００１９】
上述した構成において、筒状に形成されている摺動部材２０は、その両端の開口縁部に、外側に向けて広がる傾斜面を形成しておくことが好ましい。このような傾斜面を形成しておけば、案内杆１４上に多少の傷、打こん等があっても、これを乗り越えての移動案内が可能となるため、食い付き等のトラブルをより効果的に防止することができる。
【００２０】
図６〜図８は、本発明の第２の実施形態を示す図である。なお、以下の実施形態では、レベルワインド機構の部分のみを図示し、それ以外のリール本体の説明については省略する。また、上記実施形態のレベルワインド機構と同一の作用を成す部分については、同一の参照符号を付すこととする。
【００２１】
前記実施の形態では、釣糸案内体の本体１２ａ内に挿入される係合ピン１８を、本体１２ａの内周面及び摺動部材２０の外周面によって規制するように構成していたが、図６〜図８に示すように、係合ピン１８が挿入される孔１２ｅを筒状に形成し、ここに係合ピン１８を挿入した後、筒状部１２ｆに袋ナット３０を螺入することで係合ピン１８の規制を行なっても良い。すなわち、係合ピン１８には、中心に突出部１８ａが形成されており、ここに座金３１を介在させると共に、突出部１８ａを袋ナット３０の中心孔３０ａに挿通させることで締付けが行なわれる。
【００２２】
また、ウォームシャフト１６と案内杆１４の配置を上記した実施の形態と逆にする等、釣糸案内体の構成は適宜変形することが可能である。
【００２３】
図９〜図１１は、本発明の第３の実施形態を示す図である。
上述した実施の形態では、摺動部材２０は、釣糸案内体に配設された後、抜け止め部材２２によって抜け止め保持した構成としたが、この実施の形態で示すように、インサート、圧入、接着、カシメ、溶着等の固定手段によって、予め釣糸案内体１２内に抜け止め固定しておいても良い。
【００２４】
このような構成によれば、レベルワインド機構の組み付け作業を容易に行なえるようになる。
【００２５】
以上、本発明の実施の形態について説明したが、本発明は、上記した電動リール以外の両軸受型リールにも適用することが可能である。また、釣糸案内体の形状等については、種々変形することが可能である。
【００２６】
【発明の効果】
本発明によれば、レベルワインド機構の釣糸案内部を有する釣糸案内体を、実用時においてスムーズに左右往復動させる魚釣用リールが得られる。
【図面の簡単な説明】
【図１】本発明の一実施形態である電動リールのレベルワインド機構の部分を切欠いて示す平面図。
【図２】図１に示した電動リールの側面図。
【図３】図１に示す電動リールのレベルワインド機構の主用部を拡大して示す図。
【図４】図１に示す電動リールのレベルワインド機構の主用部を軸方向から見た図。
【図５】図１に示す電動リールのレベルワインド機構の釣糸案内体の分解斜視図。
【図６】レベルワインド機構の別の構成例の主用部を示す図。
【図７】図６に示すレベルワインド機構の主用部を軸方向から見た図。
【図８】図６に示すレベルワインド機構の釣糸案内体の分解斜視図。
【図９】レベルワインド機構の更に別の構成例の主用部を示す図。
【図１０】図９に示すレベルワインド機構の主用部を軸方向から見た図。
【図１１】図９に示すレベルワインド機構の釣糸案内体の分解斜視図。
【符号の説明】
１  リール本体
２ａ，２ｂ  側板
５  スプール
７  ハンドル
１０  レベルワインド機構
１２  釣糸案内体
１２ｂ  釣糸案内部
１４  案内杆
２０  摺動部材
【図１】
0003584190.tif 000002
【図２】
0003584190.tif 000003
【図３】
0003584190.tif 000004
【図４】
0003584190.tif 000005
【図５】
0003584190.tif 000006
【図６】
0003584190.tif 000007
【図７】
0003584190.tif 000008
【図８】
0003584190.tif 000009
【図９】
0003584190.tif 000010
【図１０】
0003584190.tif 000011
【図１１】
0003584190.tif 000012